(57)【要約】【課題】レバーでコンクリート製品を引き寄せて接続するための接続板を、枢着部のない単純な構造のレバーで引き寄せを行えるように、レバーを容易かつ安価に製造できるようにする。【解決手段】横長板状の接続板本体の一端寄りに、一方のコンクリート製品側面から突出させた突起と係合して引き寄せ時の反力を発生させるための反力部である孔又は溝を備え、他端寄りに、横溝と、該横溝の内端から立ち上がる縦溝を有し、他方のコンクリート製品側面から突出させた突起と係合し、引き寄せ時に該突起をガイドするガイド溝を備え、レバー先端部と係合してレバーでコンクリート製品の引き寄せを行うときに支点として作用する支点部を備えることで、レバーの枢着部が不要になる。【選択図】      図６
2014141798.tif 000002
【特許請求の範囲】
【請求項１】
横長の板状をなし、横方向一端寄りに、一方のコンクリート製品側面から突出させた突起と係合して引き寄せ時の反力を発生させるための反力部である孔又は溝を有し、他端寄りに、横溝と、該横溝の内端から立ち上がる縦溝を有し、他方のコンクリート製品側面から突出させた突起と係合し、引き寄せ時に該突起をガイドするガイド溝を有する接続板であって、
前記ガイド溝の上方に、接続板上辺から下方に向かって切り欠かれた支点部を有することを特徴とするコンクリート製品を引き寄せ接続するための接続板。
【請求項２】
前記支点部が、Ｌ字状又は逆Ｌ字状で、その下辺が外側に向かって形成されている請求項１に記載の接続板。
【請求項３】
前記ガイド溝が、接続板の両端寄りに線対称形状で設けられ、該ガイド溝が反力部も兼ねており、前記支点部が双方のガイド溝の上方に設けられている請求項１又は２に記載の接続板。
【請求項４】
横長の板状をなし、横方向一端寄りに、一方のコンクリート製品側面から突出させた突起と係合して引き寄せ時の反力を発生させるための反力部である孔又は溝を有し、他端寄りに、横溝と、該横溝の内端から立ち上がる縦溝を有し、他方のコンクリート製品側面から突出させた突起と係合し、引き寄せ時に該突起をガイドするガイド溝を有する接続板本体の、
上端から上水平部が突出形成され、該上水平部にレバーの先端を挿入するための支点部が切欠形成されていることを特徴とするコンクリート製品を引き寄せ接続するための接続板。
【請求項５】
前記ガイド溝が、接続板の両端寄りに線対称形状で設けられ、該ガイド溝が反力部も兼ねており、前記支点部が双方のガイド溝の上方に設けられている請求項４に記載の接続板。
【請求項６】
第二反力部である孔又は溝が、双方のガイド溝の縦溝よりも外側に設けられている請求項５に記載の接続板。
【請求項７】
横長の板状をなし、横方向一端寄りに、一方のコンクリート製品側面から突出させた突起と係合して引き寄せ時の反力を発生させるための反力部である孔又は溝を有し、他端寄りに、横溝と、該横溝の内端から立ち上がる縦溝を有し、他方のコンクリート製品側面から突出させた突起と係合し、引き寄せ時に該突起をガイドするガイド溝を有する接続板本体の、
下端から下水平部が突出形成され、該下水平部にレバーの先端を挿入するための支点部が切欠形成されていることを特徴とするコンクリート製品を引き寄せ接続するための接続板。
【請求項８】
前記ガイド溝が、接続板の両端寄りに線対称形状で設けられ、該ガイド溝が反力部も兼ねている請求項７に記載の接続板。
【請求項９】
第二反力部である孔又は溝が、双方のガイド溝の縦溝よりも外側に設けられている請求項８に記載の接続板。
【請求項１０】
横長の板状をなし、横方向一端寄りに、一方のコンクリート製品側面から突出させた突起と係合して引き寄せ時の反力を発生させるための反力部である孔又は溝を有し、他端寄りに、横溝と、該横溝の内端から立ち上がる縦溝を有し、他方のコンクリート製品側面から突出させた突起と係合し、引き寄せ時に該突起をガイドするガイド溝を有する接続板本体の、
前記ガイド溝のある側の端部から、接続板本体と直角方向に突出した支点部が形成されていることを特徴とするコンクリート製品を引き寄せ接続するための接続板。
【請求項１１】
前記接続板本体が対向して２枚設けられ、前記支点部が双方の接続板本体を連結して形成されている請求項１０に記載の接続板。
【発明の詳細な説明】
【技術分野】
【０００１】
本発明は、側溝ブロックなどのコンクリート製品を接続して設置する際、接続する２つのコンクリート製品を相対的に引き寄せて接続するための接続板に関する。
【背景技術】
【０００２】
コンクリート製品を引き寄せ接続するための接続板、及び引き寄せに用いるレバー（てこ棒）は、下記特許文献などに開示されている。
【０００３】
この接続板は、横長の板状をなし、横方向の両端部付近に、コンクリート製品側面から突出させた突起と係合するための係合溝を有するものである。また、引き寄せを行うためのレバーは、力点となる棒状部の先端部に作用点となる支点部を有する作用点片を固定し、この作用点片に支点となる支点溝を有する支点片を枢着し、支点部を一方のコンクリート製品の突起に係合し、支点溝を他方のコンクリート製品の突起に係合し、棒状部を倒すように動かすことで、支点片が作用点片に対して回動し、てこの作用で双方のコンクリート製品が引き寄せられたとき、接続板の両端部付近の係合溝に、双方のコンクリート製品の突起を係合させるものである。
【先行技術文献】
【特許文献】
【０００４】
【特許文献１】特許第３６１８５４９号公報
【特許文献２】特許第３９８０１９５号公報
【特許文献３】特許第４０８００９７号公報
【発明の概要】
【発明が解決しようとする課題】
【０００５】
コンクリート製品を引き寄せるための従来のレバーは、棒状部に、支点部を有する作用点片を固定し、この作用点片に、支点溝を有する支点片を枢着する複雑な構造を有していた。
本発明は、レバーを枢着部のない単純な構造にし、レバーを容易かつ安価に製造できるようにすることを課題とするものである。
【課題を解決するための手段】
【０００６】
〔請求項１〕
本発明は、横長の板状をなし、横方向一端寄りに、一方のコンクリート製品側面から突出させた突起と係合して引き寄せ時の反力を発生させるための反力部である孔又は溝を有し、他端寄りに、横溝と、該横溝の内端から立ち上がる縦溝を有し、他方のコンクリート製品側面から突出させた突起と係合し、引き寄せ時に該突起をガイドするガイド溝を有する接続板であって、
前記ガイド溝の上方に、接続板上辺から下方に向かって切り欠かれた支点部を有することを特徴とするコンクリート製品を引き寄せ接続するための接続板である。
【０００７】
本発明において、レバーはその軸方向と直角に形成された支軸を有する棒状でよく、枢着部を必要としない。反力部の孔又は溝に一方のコンクリート製品側面から突出させた突起を係合し、他方のコンクリート製品の突起をガイド溝の横溝に係合する。次にレバーの支軸を支点部に係合し、レバーの先端部をガイド溝に係合した突起に当て、該突起を支点、支軸を作用点としてレバーを回動させることで、突起がガイド溝に沿って接続板の内側方向に移動すると共に、２つのコンクリート製品が相対的に引き寄せられる。突起がガイド溝の縦溝の上端まで移動すると、コンクリート製品は完全に引き寄せられ、引き寄せ接続が完了する。
【０００８】
〔請求項２〕
また本発明は、前記支点部が、Ｌ字状又は逆Ｌ字状で、その下辺が外側に向かって形成されている請求項１に記載の接続板である。
【０００９】
支点部をこのように構成することで、コンクリート製品を引き寄せるためレバーを回動するときに、レバーの支軸が支点部から外れるおそれがなくなり、レバーの回動作業が容易になる。
【００１０】
〔請求項３〕
また本発明は、前記ガイド溝が、接続板の両端寄りに線対称形状で設けられ、該ガイド溝が反力部も兼ねており、前記支点部が双方のガイド溝の上方に設けられている請求項１又は２に記載の接続板である。
【００１１】
このようにすることで、左右の任意の方のガイド溝を反力部として使用できるので、コンクリート製品を引き寄せるためレバーを回動するときの回動方向を自由に選択できる。
【００１２】
〔請求項４〕
また本発明は、横長の板状をなし、横方向一端寄りに、一方のコンクリート製品側面から突出させた突起と係合して引き寄せ時の反力を発生させるための反力部である孔又は溝を有し、他端寄りに、横溝と、該横溝の内端から立ち上がる縦溝を有し、他方のコンクリート製品側面から突出させた突起と係合し、引き寄せ時に該突起をガイドするガイド溝を有する接続板本体の、
上端から上水平部が突出形成され、該上水平部にレバーの先端を挿入するための支点部が切欠形成されていることを特徴とするコンクリート製品を引き寄せ接続するための接続板である。
【００１３】
本発明において、レバーは単なる棒状でよく、枢着部を必要としない。反力部の孔又は溝に一方のコンクリート製品側面から突出させた突起を係合し、他方のコンクリート製品の突起をガイド溝の横溝に係合する。次に、レバーの先端部を支点部から下方に向かって挿通すると共に、ガイド溝に係合した突起に当て、該突起を支点、支点部を作用点としてレバーを回動させることで、突起がガイド溝に沿って接続板の内側方向に移動すると共に、２つのコンクリート製品が相対的に引き寄せられる。突起がガイド溝の縦溝の上端まで移動すると、コンクリート製品は完全に引き寄せられ、引き寄せ接続が完了する。
【００１４】
〔請求項５〕
また本発明は、前記ガイド溝が、接続板の両端寄りに線対称形状で設けられ、該ガイド溝が反力部も兼ねており、前記支点部が双方のガイド溝の上方に設けられている請求項４に記載の接続板である。
【００１５】
このようにすることで、左右の任意の方のガイド溝を反力部として使用できるので、コンクリート製品を引き寄せるためレバーを回動するときの回動方向を自由に選択できる。
【００１６】
〔請求項６〕
また本発明は、第二反力部である孔又は溝が、双方のガイド溝の縦溝よりも外側に設けられている請求項５に記載の接続板である。
【００１７】
反力部として、任意の側の第二反力部の孔又は溝を使用することで、接続板の長さを短くすることができる。
【００１８】
〔請求項７〕
また本発明は、横長の板状をなし、横方向一端寄りに、一方のコンクリート製品側面から突出させた突起と係合して引き寄せ時の反力を発生させるための反力部である孔又は溝を有し、他端寄りに、横溝と、該横溝の内端から立ち上がる縦溝を有し、他方のコンクリート製品側面から突出させた突起と係合し、引き寄せ時に該突起をガイドするガイド溝を有する接続板本体の、
下端から下水平部が突出形成され、該下水平部にレバーの先端を挿入するための支点部が切欠形成されていることを特徴とするコンクリート製品を引き寄せ接続するための接続板である。
【００１９】
本発明において、レバーは単なる棒状でよく、枢着部を必要としない。反力部の孔又は溝に一方のコンクリート製品側面から突出させた突起を係合し、他方のコンクリート製品の突起をガイド溝の横溝に係合する。次に、レバーの先端部を支点部から下方に向かって挿通すると共に、レバーの一部をガイド溝に係合した突起に当て、該突起を支点、支点部を作用点としてレバーを回動させることで、突起がガイド溝に沿って接続板の内側方向に移動すると共に、２つのコンクリート製品が相対的に引き寄せられる。突起がガイド溝の縦溝の上端まで移動すると、コンクリート製品は完全に引き寄せられ、引き寄せ接続が完了する。
【００２０】
〔請求項８〕
また本発明は、前記ガイド溝が、接続板の両端寄りに線対称形状で設けられ、該ガイド溝が反力部も兼ねている請求項７に記載の接続板である。
【００２１】
このようにすることで、左右の任意の方のガイド溝を反力部として使用できるので、コンクリート製品を引き寄せるためレバーを回動するときの回動方向を自由に選択できる。
【００２２】
〔請求項９〕
また本発明は、第二反力部である孔又は溝が、双方のガイド溝の縦溝よりも外側に設けられている請求項８に記載の接続板である。
【００２３】
反力部として、任意の側の第二反力部の孔又は溝を使用することで、接続板の長さを短くすることができる。
【００２４】
〔請求項１０〕
また本発明は、横長の板状をなし、横方向一端寄りに、一方のコンクリート製品側面から突出させた突起と係合して引き寄せ時の反力を発生させるための反力部である孔又は溝を有し、他端寄りに、横溝と、該横溝の内端から立ち上がる縦溝を有し、他方のコンクリート製品側面から突出させた突起と係合し、引き寄せ時に該突起をガイドするガイド溝を有する接続板本体の、
前記ガイド溝のある側の端部から、接続板本体と直角方向に突出した支点部が形成されていることを特徴とするコンクリート製品を引き寄せ接続するための接続板である。
【００２５】
本発明において、レバーは単なる棒状でよく、枢着部を必要としない。反力部の孔又は溝に一方のコンクリート製品側面から突出させた突起を係合し、他方のコンクリート製品の突起をガイド溝の横溝に係合する。次に、レバーの先端部を支点部とガイド溝に係合した突起の間に差し入れ、該突起を支点、支点部を作用点としてレバーを回動させることで、突起がガイド溝に沿って接続板の内側方向に移動すると共に、２つのコンクリート製品が相対的に引き寄せられる。突起がガイド溝の縦溝の上端まで移動すると、コンクリート製品は完全に引き寄せられ、引き寄せ接続が完了する。
【００２６】
〔請求項１１〕
また本発明は、前記接続板本体が対向して２枚設けられ、前記支点部が双方の接続板本体を連結して形成されている請求項１０に記載の接続板である。
【００２７】
接続板本体は、請求項１０の接続板の、支点部を除いた構成を有している。このようにすることで、支点部の強度及び剛性を高めることができる。１枚の板を平面視コの字形に折り曲げることで、対向する２枚の接続板本体及び支点部を形成することも可能である。
【００２８】
本発明において、ガイド溝の横溝は、必ずしも完全に水平である必要はなく、水平線に対して５０°以下の角度であればよい。ガイド溝の縦溝は、必ずしも垂直である必要はなく、垂直線に対して３０°以下の角度であればよい。
【発明の効果】
【００２９】
本発明の接続板を用いてコンクリート製品の引き寄せ接続を行うことで、レバーを枢着部のない単純な構造にし、レバーを容易かつ安価に製造できる。
【００３０】
本発明において、支点部の位置、及びレバー先端部の形状は、コンクリート製品の突出部がスムースにガイド溝に沿って移動し、縦溝の上端に至ることができるように適宜設計されることが望ましい。例えば、図６では支点部１１が支軸６２と接触する支点がガイド溝２のＬ字型の上り口（横溝と縦溝の間）より右側にあることで、レバー６先端部６１で突起７０を押した時に先端部６１が突起７０を持ち上げる動き（逆に言うと支点部１１を下に押し付ける動き）をするため、突起７０がガイド溝２の横溝から縦溝上端までスムースに移動する。
【図面の簡単な説明】
【００３１】
【図１】接続板１Ａの正面図、側面図である。
【図２】接続板１Ｂの正面図である。
【図３】接続板１Ｃの正面図である。
【図４】レバー６の正面図、側面図である。
【図５】接続板１Ｃによるコンクリート製品引き寄せの説明図である。
【図６】接続板１Ｃによるコンクリート製品引き寄せの説明図である。
【図７】接続板１Ｃによるコンクリート製品引き離しの説明図である。
【図８】接続板１Ｄの正面図、上面図、側面図である。
【図９】接続板１Ｄの斜視図である。
【図１０】レバー６の正面図、側面図である。
【図１１】接続板１Ｄによるコンクリート製品引き寄せの説明図である。
【図１２】接続板１Ｄによるコンクリート製品引き寄せの説明図である。
【図１３】接続板１Ｅの正面図、下面図、側面図である。
【図１４】接続板１Ｅの斜視図である。
【図１５】レバー６の正面図、側面図である。
【図１６】接続板１Ｅによるコンクリート製品引き寄せの説明図である。
【図１７】接続板１Ｅによるコンクリート製品引き寄せの説明図である。
【図１８】接続板１Ｆの正面図、背面図、上面図、側面図である。
【図１９】接続板１Ｆの斜視図である。
【図２０】レバー６の正面図、側面図である。
【図２１】接続板１Ｆによるコンクリート製品引き寄せの説明図である。
【図２２】接続板１Ｆによるコンクリート製品引き寄せの説明図である。
【発明を実施するための形態】
【００３２】
図１は接続板１Ａに関し、左側に正面図、右側に側面図を示している。接続板１Ａは横長の板状をなし、横方向の一端（左）寄りに、一方のコンクリート製品側面から突出させた突起と係合して引き寄せ時の反力を発生させるための反力部３（孔）を有する。他端（右）寄りにガイド溝２を有する。ガイド溝２は、横溝と、該横溝の内端から立ち上がる縦溝を有し、他方のコンクリート製品側面から突出させた突起と係合し、引き寄せ時に該突起をガイドするものである。ガイド溝２の上方には、接続板の上辺から下方に向かって切り欠かれた支点部１１を有する。支点部１１は、接続板の上辺から下方に向かって切り欠かれた縦溝と、該縦溝の下端から外側水平方向に向かって切り欠かれた横溝によりＬ字状に形成されている。
【００３３】
図２は接続板１Ｂの正面図である。接続板１Ｂは、反力部３が溝となっている他は、前記の接続板１Ａと全く同じ構成である。このように、反力部３は孔でも溝でもよい。
【００３４】
図３は接続板１Ｃの正面図である。接続板１Ｃは、ガイド溝２が接続板の両端寄りに線（垂直線）対称形状で設けられている。ガイド溝２は、横溝と、該横溝の内端から立ち上がる縦溝を有し、さらに該横溝の外端から立ち上がる縦溝を有するが、この横溝の外端から立ち上がる縦溝は無くてもよい。左右２個のガイド溝２は、反力部を兼ねており、後述するように、任意の一方を反力部として使用し、他方をガイド溝として使用することができる。また、支点部１１が、左右双方のガイド溝の上方に設けられている。左右の支点部の形状も、線（垂直線）対称形状となっている。
【００３５】
図４は、接続板１Ａ〜１Ｃによりコンクリート製品の引き寄せ（及び引き離し）を行うときに用いるレバーの例で、右側に正面図、左側に側面図を示している。このレバー６は、丸パイプの棒状部６０の先端に、２枚の板を平行に固定した先端部６１を形成し、その２枚の板を連結して支軸６２を形成している。支軸６２は、レバー６の長手方向と直角方向に設けられる。
【００３６】
図５，６は、接続板１Ｃによるコンクリート製品（側溝ブロック）の引き寄せの説明図である。図５上段及び図６は、一方（左側）のコンクリート製品７側面から突出させた突起７０を、接続板１Ｃの左側のガイド溝２の外側の縦溝内に係合するとともに、他方のコンクリート製品７側面から突出させた突起７０を、接続板１Ｃの右側のガイド溝２の横溝内に係合している。そして、接続板１Ｃを、レバー６の先端部６１の２枚の平行板の間に差し込み、支軸６２を右側の支点部１１内に差し込むと共に、先端部６１を右側の突起７０に接触させている。
【００３７】
図５上段及び図６の状態から、レバー６を矢印方向（右回り）に回動すると、支軸６２と支点部１１が支点、右側の突起７０とレバー先端部６１の接触部が作用点となり、右側の突起７０がガイド溝２に沿って接続板の内側方向に移動し、図５下段に示すように、コンクリート製品７，７が相対的に引き寄せられる。右側の突起７０が右側のガイド溝２の内側縦溝の上端まで移動すると、引き寄せが完了する。このとき、左側の突起７０とガイド溝２の接触部が反力となり、左側のガイド溝は反力部として作用する。
【００３８】
コンクリート製品の突起７０は、コンクリート製品に埋設したアンカーナットに、ボルトを、その頭部がコンクリート面から突出するように螺着したものである。引き寄せが完了した後に突起のボルトを締め込んで、接続板１Ｃをコンクリート面に固定し、作業が完了する。
【００３９】
コンクリート製品の突起７０は、上記のものの他、コンクリートにボルトを、その頭部を露出して埋設した（打ち込んだ）もの、コンクリートに鉄筋を、その端部を露出して埋設した（打ち込んだ）ものなど、種々の構成が可能であるが、前記の実施形態が最も好ましい。
【００４０】
図７は、接続板１Ｃによるコンクリート製品の引き離しの説明図である。同図上段の状態からレバー６を矢印方向（左回り）に回動すると、レバーの支軸６２と支点部１１が支点、右側の突起７０とレバー先端部６１の接触部が作用点となり、、右側の突起７０がガイド溝２に沿って接続板の外側方向に移動し、図７下段に示すように、コンクリート製品７，７が相対的に引き離される。
【００４１】
以上、コンクリート製品の引き寄せ、引き離し作業を、接続板１Ｃについて説明したが、接続板１Ａ，１Ｂについても、左側のコンクリート製品の突起７０を反力部３に係合することで、同様に行うことができる。
【００４２】
図８，９は接続板１Ｄに関し、図８の左側上段に上面図、左側下段に正面図、右側に側面図を示している。接続板１Ｄは横長板状の本体１０を有し、その横方向の両端寄りにガイド溝２が形成されている。ガイド溝２は、横溝と、該横溝の内端から立ち上がる縦溝を有し、線（垂直線）対称形状となっている。一方のガイド溝２は、一方のコンクリート製品側面から突出させた突起と係合して引き寄せ時の反力を発生させるための反力部として作用し、他方のガイド溝は、他方のコンクリート製品側面から突出させた突起と係合し、引き寄せ時に該突起をガイドするものである。なお、ガイド溝２の横溝は、水平線に対して約４５°傾斜している。
【００４３】
接続板１Ｄは、さらに第二反力部３０の孔が、双方のガイド溝の縦溝よりも外側に設けられている。第二反力部３０は、溝であってもよい。
【００４４】
接続板１Ｄは、板状の本体１０の上端から上水平部４が突出形成され、上水平部４にレバーの先端を挿入するための支点部４０が切欠形成されている。支点部４０は、図８，９のような穴の他、任意形状の切り欠きでもよい。同図の実施形態では、両側に２個設けられているが、必ずしもその必要はなく、レバーの先端形状などによっては中央に１個でもよい。
【００４５】
図１０は、接続板１Ｄによりコンクリート製品の引き寄せを行うときに用いるレバーの例で、右側に正面図、左側に側面図を示している。このレバー６は、丸パイプの棒状部６０の先端に、先端が細くなっている板状の先端部６１を固定したものである。
【００４６】
図１１，１２は、接続板１Ｄによるコンクリート製品の引き寄せの説明図である。図１１上段及び図１２は、一方（左側）のコンクリート製品７側面から突出させた突起７０を、接続板１Ｄの左側の第二反力部３０の孔に係合するとともに、他方のコンクリート製品７側面から突出させた突起７０を、接続板１Ｄの右側のガイド溝２の横溝内に係合している。そして、接続板１Ｄの支点部４０にレバー６の先端部６１を差し込み、それを右側の突起７０に接触させている。
【００４７】
図１１上段及び図１２の状態から、レバー６を矢印方向（右回り）に回動すると、レバーの先端部と支点部４０の接触部が支点、右側の突起７０とレバー先端部６１の接触部が作用点となり、右側の突起７０がガイド溝２に沿って接続板の内側方向に移動し、図１１下段に示すように、コンクリート製品７，７が相対的に引き寄せられる。右側の突起７０が右側のガイド溝２の内側縦溝の上端まで移動すると、引き寄せが完了する。このとき、左側の突起７０と第二反力部３０の接触部が反力を生じさせる。
【００４８】
左側のコンクリート製品７側面から突出させた突起７０を、接続板１Ｄの左側の第二反力部３０の孔に係合する代わりに、左側のガイド溝２に係合することもできる。この場合は、左側の突起７０とガイド溝２の接触部が反力となり、左側のガイド溝は反力部として作用する。反力部として、左側の第二反力部３０を用いる方が、左側のガイド溝２を用いるよりも、接続板の長さを短くし、材料費を少なくできる。
【００４９】
図１３，１４は接続板１Ｅに関し、図１３の左側上段に正面図、左側下段に下面図、右側に側面図を示している。接続板１Ｅは横長板状の本体１０を有し、その横方向の両端寄りにガイド溝２が形成されている。ガイド溝２は、横溝と、該横溝の内端から立ち上がる縦溝を有し、線（垂直線）対称形状となっている。一方のガイド溝２は、一方のコンクリート製品側面から突出させた突起と係合して引き寄せ時の反力を発生させるための反力部として作用し、他方のガイド溝は、他方のコンクリート製品側面から突出させた突起と係合し、引き寄せ時に該突起をガイドするものである。なお、ガイド溝２の横溝は、水平線に対して約１０°傾斜している。
【００５０】
接続板１Ｅは、さらに第二反力部３０の孔が、双方のガイド溝の縦溝よりも外側に設けられている。第二反力部３０は、溝であってもよい。
【００５１】
接続板１Ｅは、板状の本体１０の下端から下水平部５が突出形成され、下水平部５にレバーの先端を挿入するための支点部５０が切欠形成されている。支点部５０は、図１３，１４のような穴の他、任意形状の切り欠きでもよい。
【００５２】
図１５は、接続板１Ｄによりコンクリート製品の引き寄せを行うときに用いるレバーの例で、左側に正面図、右側に側面図を示している。このレバー６は、丸パイプの棒状部６０の先端に、板状の先端部６１を固定したものである。先端部６１は鈎状部６３を有し、その先の最先端部が細くなっている。
【００５３】
図１６，１７は、接続板１Ｅによるコンクリート製品の引き寄せの説明図である。図１６上段及び図１７は、一方（左側）のコンクリート製品７側面から突出させた突起７０を、接続板１Ｅの左側の第二反力部３０の孔に係合するとともに、他方のコンクリート製品７側面から突出させた突起７０を、接続板１Ｅの右側のガイド溝２の横溝内に係合している。そして、接続板１Ｅの支点部５０にレバー６の最先端部６１を差し込むと共に、鈎状部６３を右側の突起７０に係合させている。
【００５４】
図１６上段及び図１７の状態から、レバー６を矢印方向（左回り）に回動すると、レバーの先端部と支点部５０の接触部が支点、右側の突起７０とレバー鈎状部６３の接触部が作用点となり、右側の突起７０がガイド溝２に沿って接続板の内側方向に移動し、図１６下段に示すように、コンクリート製品７，７が相対的に引き寄せられる。右側の突起７０が右側のガイド溝２の内側縦溝の上端まで移動すると、引き寄せが完了する。このとき、左側の突起７０と第二反力部３０の接触部が反力を生じさせる。
【００５５】
左側のコンクリート製品７側面から突出させた突起７０を、接続板１Ｅの左側の第二反力部３０の孔に係合する代わりに、左側のガイド溝２に係合することもできる。この場合は、左側の突起７０とガイド溝２の接触部が反力となり、左側のガイド溝は反力部として作用する。反力部として、左側の第二反力部３０を用いる方が、左側のガイド溝２を用いるよりも、接続板の長さを短くし、材料費を少なくできる。
【００５６】
図１８，１９は接続板１Ｆに関し、図１８の左側上段に背面図、中段に上面図、下段に正面図、右側に側面図を示している。接続板１Ｆは横長板状をなす接続板本体１０が対向して２枚設けられ、双方の接続板本体１０を連結して形成された支点部１２を有する。したがって、支点部１２は、本体１０のガイド溝のある側の端部から、本体１０と直角方向に突出している。本実施形態の場合、双方の接続板本体１０及び支点部１２は１枚の金属板を折り曲げて形成している。
【００５７】
本体１０は、横方向の一端（左）寄りに、一方のコンクリート製品側面から突出させた突起と係合して引き寄せ時の反力を発生させるための反力部３（孔）を有する。他端（右）寄りにガイド溝２を有する。ガイド溝２は、横溝と、該横溝の内端から立ち上がる縦溝を有し、他方のコンクリート製品側面から突出させた突起と係合し、引き寄せ時に該突起をガイドするものである。
【００５８】
図２０は、接続板１Ｆによりコンクリート製品の引き寄せを行うときに用いるレバーの例で、右側に正面図、左側に側面図を示している。このレバー６は、丸パイプの棒状部６０の先端に、先端が細くなっている板状の先端部６１を固定したものである。
【００５９】
図２１，２２は、接続板１Ｆによるコンクリート製品の引き寄せの説明図である。図２１上段及び図２２は、一方（左側）のコンクリート製品７側面から突出させた突起７０を、接続板１Ｆの左側の反力部３の孔内に係合するとともに、他方のコンクリート製品７側面から突出させた突起７０を、接続板１Ｆの右側のガイド溝２の横溝内に係合している。そして、レバー６の先端部６１を、２枚の接続板本体１０の間の支点部１２と突起７０の間に差し込み、先端部６１を作用点１２及び突起７０に接触させている。
【００６０】
図２１上段及び図２２の状態から、レバー６を矢印方向（右回り）に回動すると、突起７０と先端部６１の接触部が作用点、支点部１２と先端部６１の接触部が支点となり、右側の突起７０がガイド溝２に沿って接続板の内側方向に移動し、図２１下段に示すように、コンクリート製品７，７が相対的に引き寄せられる。右側の突起７０が右側のガイド溝２の内側縦溝の上端まで移動すると、引き寄せが完了する。このとき、左側の突起７０と反力部３の接触部で反力が発生する。
【００６１】
接続板１Ｆにおいて、本体１０は必ずしも２枚必要ではないが、２枚にすることで支点部の強度及び剛性を高めることができる。
【００６２】
本発明の接続板の素材は、鋼鈑などの金属板が望ましい。金属板をプレスにより切断、穴開けなどを行い、また、必要に応じて曲げ加工を行うことで、容易かつ安価に製造できる。
【符号の説明】
【００６３】
１Ａ，１Ｂ，１Ｃ，１Ｄ，１Ｅ，１Ｆ  接続板
１０  接続板本体
１１  支点部
１２  支点部
２  ガイド溝
３  反力部
３０  第二反力部
４  上水平部
４０  支点部
５  下水平部
５０  支点部
６  レバー
６０  棒状部
６１  先端部
６２  支軸
６３  鈎状部
７  コンクリート製品
７０  突起
【図１】
2014141798.tif 000003
【図２】
2014141798.tif 000004
【図３】
2014141798.tif 000005
【図４】
2014141798.tif 000006
【図５】
2014141798.tif 000007
【図６】
2014141798.tif 000008
【図７】
2014141798.tif 000009
【図８】
2014141798.tif 000010
【図９】
2014141798.tif 000011
【図１０】
2014141798.tif 000012
【図１１】
2014141798.tif 000013
【図１２】
2014141798.tif 000014
【図１３】
2014141798.tif 000015
【図１４】
2014141798.tif 000016
【図１５】
2014141798.tif 000017
【図１６】
2014141798.tif 000018
【図１７】
2014141798.tif 000019
【図１８】
2014141798.tif 000020
【図１９】
2014141798.tif 000021
【図２０】
2014141798.tif 000022
【図２１】
2014141798.tif 000023
【図２２】
2014141798.tif 000024